(57)【要約】      （修正有）【課題】十分な厚みのある掛け布団を棺本体の中に体裁よく収容することができる棺セットを提供する。【解決手段】縦長の底板２０と底板の右方長辺に取り付けられる右方側板２１と底板の左方長辺に取り付けられる左方側板２２と底板の前方短辺に取り付けられる前方側板２３と底板の後方短辺に取り付けられる後方側板２４とからなる棺本体２と、そして棺本体の開口部２５に被せられる縦長の蓋板３とを備えた棺桶４と、そして掛け布団６の大きさ及び厚みは棺本体２の開口部２５の大きさ及び掛け布団６の横幅に対して所定の寸法内であり、且つその表面に収容部６０を有している掛け布団６とから構成されている棺セット１を提供する。【選択図】図１
0003202275.tif 000002
【実用新案登録請求の範囲】
【請求項１】
縦長の底板と、前記底板の右方長辺に取り付けられる右方側板と、前記底板の左方長辺に取り付けられる左方側板と、前記底板の前方短辺に取り付けられる前方側板と、および前記底板の後方短辺に取り付けられる後方側板とからなる棺本体と、そして前記棺本体の開口部に被せられる縦長の蓋板とを備えた棺桶と、そして
遺体に被せるために前記棺桶に収容される掛け布団であって、前記掛け布団の縦辺の長さは前記棺本体の開口部の縦長さに対して７０％以上９０％以下であり、前記掛け布団の横辺の長さは前記棺本体の開口部の横幅に対して１０５％以上１４０％以下であり、および前記掛け布団の厚みは前記横幅に対して４％以上１０％以下であり、そして前記掛け布団の表面には収納部が設けられている掛け布団と、
から構成されている棺セット。
【請求項２】
前記掛け布団の前記収容部の横幅は、前記掛け布団の前記横辺の長さと同一であること特徴とする請求項１に記載の棺セット。
【請求項３】
前記掛け布団の前記収納部は、前記掛け布団の表面に複数個配置されていることを特徴とする請求項１又は２に記載の棺セット。
【請求項４】
前記棺本体の開口部は、前記縦長さが１７５０ｍｍ以上２１００ｍｍ以下であり、前記横幅が４５０ｍｍ以上７００ｍｍ以下であり、そして深さ（高さ）が４００ｍｍ以上５５０ｍｍ以下であることを特徴とする請求項１ないし３のいずれかに記載の棺セット。
【考案の詳細な説明】
【技術分野】
【０００１】
本考案は、棺桶と、遺体に被せて棺本体の中へ収容される掛け布団とから構成される棺セットに関し、特に掛け布団は、その表面に遺品等を収容するための収容部が設けられており、そして掛け布団を遺体に被せて棺本体の中へ収容した際、掛け布団と棺本体の右方および左方側板との間に隙間を生じることなく、且つ掛け布団の横幅方向に余分な折り返しを生じることなく見栄えよく棺本体の中へ収容することができることを特徴とする棺セットに関する。
【背景技術】
【０００２】
一般に通夜、告別式等の葬儀では、遺体の安置、保存、移送および火葬に適合させる目的で棺桶が使用され、棺本体の中に安置され遺体の上には掛け布または極薄の掛け布団が覆い被せられる。
【０００３】
ところで、棺本体に収容される掛け布団として厚みが薄い掛け布または極薄の掛け布団が選ばれる理由は、日常生活で使用されているような十分な厚みを有する掛け布団を使用すると、掛け布団が嵩張ることにより、掛け布団を棺本体の中へ収容することができなくなったり、或いは掛け布団を棺本体の中へ収容することができても、故人の遺品やドライアイス等の冷却材を収容するためのスペースが確保できなくなり、見栄えも悪くなるという不都合を生じることによる。また、厚みが十分な掛け布団を使用すると、ドライアイス等の冷却材によって遺体を十分に冷やすことが困難になると考えられていたことにもよる。
【０００４】
このため、近年では、例えば実用新案登録第３０７１５１５号公報（特許文献１）に記載されているように、遺体を体裁よく覆うことができるようにするため、遺体の頭部を周囲から覆う布団部分と遺体を覆う掛け布団とを一体的に縫製した葬儀用の掛け布団や、特開２００３−１９９６６８号公報（特許文献２）に記載されているように、見栄えをよくするため、白生地の表面に銀糸または金糸等を用いて経文等を織り込んだ葬儀用の掛け布や、そして特開平８−１６４１７４号公報（特許文献３）に記載されているように、故人が生前使用していた掛け布団を見栄えよくするため、表面には絵柄が配されており、裏面にはドライアイス等の冷却材を収容するための袋を備え付けられた覆い布が開発されている。さらに、例えば実用新案登録第３１５８０５４号公報（特許文献４）に記載されているように、棺や布団を準備する手間を減らすために、厚紙で出来ており且つ組み立て式である棺桶と、敷布団および掛け布団とをセットにした棺セットも開発されている。
【０００５】
しかしながら、特許文献１−４に記載されているような掛け布団は、中綿が詰め込まれていないために生地の厚みしかないものや、中綿が詰め込まれていても掛け布団の横幅に対する厚みが１〜２％未満であるという極めて薄い素材からできているため、通常、寝具として使用されるような十分な厚みのある掛け布団よりもボリューム感に欠け、冷たく、貧弱に見えるという欠点があった。また、特許文献１−４に記載されている掛け布団などを十分な厚みを有する掛け布団に置き換えて使用したとしても、掛け布団が嵩張ることにより、掛け布団を棺本体の中へ収容することができなくなったり、或いは掛け布団を棺本体の中へ収容することができても、故人の遺品やドライアイス等の冷却材を収容するためのスペースが確保できなくなり、見栄えも悪くなるという上記の問題を解決することができないという問題があった。
【先行技術文献】
【特許文献】
【０００６】
【特許文献１】実用新案登録第３０７１５１５号公報
【特許文献２】特開２００３−１９９６６８号公報
【特許文献３】特開平８−１６４１７４号公報
【特許文献４】実用新案登録第３１５８０５４号公報
【考案の概要】
【考案が解決しようとする課題】
【０００７】
そこで、本考案は、棺桶と、遺体に被せて棺本体の中へ収容される掛け布団であって、通常、寝具として使用されるような十分な厚みがある場合においても、棺本体の中に見栄えよく収容することができ、それでいて故人の遺品やドライアイス等の冷却材を十分に且つ体裁よく収容することができる棺セットを提供することを目的とする。
【課題を解決するための手段】
【０００８】
本考案者等は、棺桶の形状および大きさと、掛け布団の形状、大きさおよび厚みとの関係などについて鋭意検討を重ねた結果、ある形状および大きさを有する棺桶に対し、掛け布団を所定の形状、大きさ及びその大きさに対する所定の厚みとし、そして故人の遺品等については専用の収容手段を設けることにより上記の問題点を解決できることを見出し、本考案による棺セットを完成させるに至った。
【０００９】
すなわち、本考案による棺セットは、縦長の底板と、底板の右方長辺に取り付けられる右方側板と、底板の左方長辺に取り付けられる左方側板と、底板の前方短辺に取り付けられる前方側板と、および底板の後方短辺に取り付けられる後方側板とからなる棺本体と、そして棺本体の開口部に被せられる縦長の蓋板とを備えた棺桶と、そして遺体に被せるために棺桶に収容される掛け布団であって、掛け布団の縦辺の長さは棺本体の開口部の縦長さに対して７０％以上９０％以下であり、掛け布団の横辺の長さは棺本体の開口部の横幅に対して１０５％以上１４０％以下であり、および掛け布団の厚みは横幅に対して４％以上１０％以下であり、そして掛け布団の表面には収納部が設けられている掛け布団とから構成されているという特徴を有する。
【００１０】
本考案による棺セットを構成する棺桶は、底板と、底板の左右長辺に取り付けられる２枚の側板と、底板の前後短辺に取り付けられる２枚側板とからなる棺本体と、そして棺本体の開口部に被せられる縦長の蓋板とから構成されており、少なくとも棺本体の内部は直方体の空間を形成していることが好ましい。
【００１１】
棺桶の許容される縦・横・高さの最大寸法は、火葬場を管理する各自治体によって決められているのに対し、棺本体の内部空間の形状を直方体とすると、後述する所定の厚みを有する掛け布団の平面形状も長方形とすることができるので、製作および収納が容易となり、遺体に被せて棺本体の中へ収容した際の見栄えをよくすることができる。
【００１２】
棺本体の中へ収容される所定の厚みを有する掛け布団の平面形状は、掛け布団の縦辺の長さが棺本体の開口部の縦長さに対して７０％以上９０％以下であり、掛け布団の横辺の長さが棺本体の開口部の横幅に対して１０５％以上１４０％以下であることが好ましい。なお、本考案において棺本体の開口部の縦長さおよび横幅とは、棺本体の内寸を意味している。
【００１３】
掛け布団の縦辺の長さが棺本体の開口部の縦長さに対して７０％未満になると、通常、掛け布団は、棺本体の中へ安置された遺体を首元からつま先まで覆うことができなくなるという不都合を生じる可能性が高くなる。また、綿類などを挿入することにより厚みを増した掛け布団は断熱材としての役割も果たすので、掛け布団の下部に配置されるドライアイス等の冷却材による冷却効果を十分に得られなくなる結果、遺体の損傷を早めることになる。
【００１４】
一方、掛け布団の縦辺の長さが棺本体の開口部の縦長さに対して９０％より長くなると、通常、遺体の首元から棺本体の後方側板まで敷き詰められた掛け布団は、後方側板側の端部においてたるみや折り返しが生じ見栄えが悪くなったり、または棺の中へ収容できなくなるという不都合を招くことになる。
【００１５】
また、掛け布団の横辺の長さが棺本体の開口部の横幅に対して１０５％未満になると、棺本体の中の遺体へ被せられた掛け布団は、左方側板または右方側板との間に隙間を生じるという不都合を招くことになる。また、綿類などを挿入することにより厚みを増した掛け布団は断熱材としての役割も果たすので、掛け布団の下部に配置されるドライアイス等の冷却材による冷却効果を十分に得られなくなる結果、遺体の損傷を早めることになる。
【００１６】
一方、掛け布団の横辺の長さが棺本体の開口部の横幅に対して１４０％より長くなると、棺本体の中の遺体へ被せられた掛け布団は、左方側板側および／または右方側板側の端部においてたるみや折り返しが生じ見栄えが悪くなったり、または掛け布団を棺の中へ収容できなくなるという不都合を招くことになる。また、掛け布団においてたるみや折り返しが生じると、掛け布団が嵩張ることにより、掛け布団の上に故人の遺品や花を収容することができなくなるという問題も生じることになる。
【００１７】
さらに、掛け布団の厚みが横幅に対して４％未満になると、本考案で使用される掛け布団は、従来の極薄の掛け布団や掛け布のようにボリューム感に欠け、冷たく、貧弱に見えると共に、掛け布団による十分な断熱効果が得らなくなるため、掛け布団の下部にドライアイス等の冷却材を配置しても十分な冷却効果を得られず、遺体の損傷を早めることになる。
【００１８】
一方、掛け布団の厚みが横幅に対して１０％未満より厚くなると、棺本体の中の遺体へ被せられた掛け布団は、棺本体の側壁と接する端部においてたるみや折り返しが生じ見栄えが悪くなったり、または掛け布団を棺の中へ収容できなくなるという不都合を招くことになる。また、掛け布団においてたるみや折り返しが生じると、掛け布団が嵩張ることにより、掛け布団の上に故人の遺品や花を収容することができなくなるという問題も生じることになる。なお、本考案において掛け布団の厚みとは、掛け布団を平面に置いた時の前記平面から掛け布団表面まで厚みの平均値を意味している。
【００１９】
本考案の棺セットで使用される掛け布団は、その表面には収納部を備えている。掛け布団がその表面には収納部を備えていると、故人の遺品等を掛け布団の中の特定の位置へ整然と収容することができるようになるため、掛け布団の厚みが増すことにより故人の遺品等を収容することができなくなるという問題を解消することができる。
【００２０】
掛け布団に設けられた収容部の横幅は、掛け布団の横辺の長さと同一であることが好ましい。収容部を掛け布団の横辺の長さと同一とした場合、故人の遺品等を掛け布団の横幅方向の任意の位置に収容することができるようになる。このため、十分な厚みを有することにより、棺本体の中で比較的嵩張る掛け布団であっても、故人の遺品等を整然と棺本体の中へ収容できるように配置することができるようになる。
【００２１】
また、掛け布団の収納部は、掛け布団の表面に複数個配置されていることが好ましい。収容部が掛け布団の表面に複数個配置されていると、数多くの故人の遺品等を掛け布団の収容部に収容することができ、そして収容場所の配置の自由度も向上するので、十分な厚みを有することにより、棺本体の中で比較的嵩張る掛け布団であっても、故人の大量の遺品等を棺本体の中へ収容することができるようになる。特に、収容部の横幅が掛け布団の横辺の長さと同一である場合などは、収容部を掛け布団表面の横幅方向および長手方向に並べると、効率よく大量の故人の遺品等を棺本体の中へ収容することができるようになる。
【００２２】
また、掛け布団を収容する棺本体の開口部は、縦長さが１７５０ｍｍ以上２１００ｍｍ以下であり、横幅が４５０ｍｍ以上７００ｍｍ以下であり、そして深さ（高さ）が４００ｍｍ以上５５０ｍｍ以下であることが好ましい。
【００２３】
棺桶の許容される縦・横・高さの最大寸法は、火葬場を管理する各自治体によって定められているので、掛け布団を収容する棺本体の開口部の縦長さを２１００ｍ以下とし、横幅を７００ｍｍ以下とし、そして深さ（高さ）を５５０ｍｍ以下とすることにより、火葬場を管理する多くの自治体で上記棺セットの棺桶を使用することができるようになる。
【００２４】
一方、掛け布団を収容する棺本体の開口部の縦長さを１７５０ｍｍ未満とし、横幅を４５０ｍｍ未満とし、または深さ（高さ）を４００ｍｍ未満とすると、実質的に棺本体の中へ、遺体と本発明による所定の大きさ、厚みを有する掛け布団を収容することが困難となり、或いは故人の遺品や花を収容することができなくなるという不都合を招くことになる。
【考案の効果】
【００２５】
本考案による棺セットによれば、遺体に被せて棺本体の中へ収容される掛け布団であって、通常、寝具として使用されるような十分な厚みがある場合においても、棺本体の中に見栄えよく収容することができ、それでいて故人の遺品やドライアイス等の冷却材を十分に且つ体裁よく収容することができるようになる。
【図面の簡単な説明】
【００２６】
【図１】本考案の一実施形態に係る棺セットの概要を示した分解斜視図である。
【図２】図１に示される棺セットで使用される掛け布団の平面図である。
【図３】図１に示される棺セットで使用される掛け布団の側面図である。
【考案を実施するための形態】
【００２７】
以下、本考案の一実施形態に係る棺セットについて、図面を参照しながら詳細に説明する。なお、本考案は、以下に示される実施例に限定されるものではなく、本考案の技術的思想を逸脱しない範囲内で各種の変更が可能である。
【実施例】
【００２８】
図１には、本考案の一実施形態に係る棺セット１の概要を表す分解斜視図が示されている。図２には、図１に示される棺セット１で使用される掛け布団６の平面図が示されており、図３には、図１に示される棺セット１で使用される掛け布団６の側面図が示されている。
【００２９】
図１を参照して理解されるように、本考案の一実施形態に係る棺セット１は、棺本体２と蓋板３とからなる棺桶４と、棺桶４の中に収容される敷布団５および掛け布団６とから構成されている。
【００３０】
棺桶４は、縦長の底板２０と、底板２０の右方長辺に取り付けられる右方側板２１と、底板２０の左方長辺に取り付けられる左方側板２２と、底板２０の前方短辺に取り付けられる前方側板２３と、および底板２０の後方短辺に取り付けられる後方側板２４とからなる棺本体２と、そして棺本体２の開口部２５に被せられる縦長の蓋板３とからなり、一般的な直方体の箱型形状を有している。このため、棺本体２の内部には直方体の空間が形成されている。
【００３１】
棺桶４の許容される縦・横・高さの最大寸法は、火葬場を管理する各自治体によって決められているのに対し、棺本体２の内部空間の形状を直方体とすると、後述する所定の厚みを有する掛け布団６の平面形状も長方形とすることができるので、製作および収納が容易となり、遺体に被せて棺本体２の中へ収容した際の見栄えをよくすることができる。
【００３２】
図１に示されている棺本体２の開口部２５は、火葬場を管理する各自治体によって定められている棺桶の許容される縦・横・高さの最大寸法を考慮して、縦長さが１８５０ｍｍであり、横幅が５３０ｍｍであり、そして深さ（高さ）が４５０ｍｍとなっている。なお、本実施形態において棺本体２の開口部２５の縦長さおよび横幅とは、棺本体２の内寸を意味している。
【００３３】
遺体を棺桶４の中に安置するために、棺本体２の中には棺本体２の開口部２５と略同じ寸法（縦長さ×横幅）の敷布団５が挿入される。本実施形態の場合、敷布団５の中には遺体の安置を安定させるためのスポンジ等の緩衝材が挿入されているが、緩衝材は必ずしも必要なものではない。また、本実施形態の敷布団５は、後述する掛け布団６に対して比較的薄く作製されている。
【００３４】
図示しないが、棺本体２の中に敷き詰められた敷布団５の上に遺体を安置する際は、遺体の頭部を安定させるために枕を使用してもよい。また、遺体の頭部の固定は、遺体の頭部の周囲に綿などを密に配置することによって強化することができる。
【００３５】
棺本体の中に安置された遺体の上には、中綿が挿入された掛け布団６が被せられる。図１および図２，３に示されている本実施形態に係る掛け布団６の寸法は、縦辺６１の長さが１５４０ｍｍであり、横辺６２の長さが６７０ｍｍであり、そして厚み：ｔは３０ｍｍである。このため、掛け布団６は、棺本体２の開口部２５の縦長さに対して８３％の縦辺６１の長さと、棺本体２の開口部２５の横幅に対して１２６％の横辺６２の長さと、そして掛け布団６の横幅に対して４．５％の厚み：ｔを有している。なお、本実施形態において掛け布団６の厚み：ｔとは、図３に示されているように、掛け布団６を平面に置いた時の平面から掛け布団６の表面まで厚みの平均値を意味している。
【００３６】
本実施形態に係る掛け布団６は、上述のように棺本体２の開口部２５の大きさ及び掛け布団６の厚みに対して適当な大きさを有しているので、小さ過ぎて、棺本体２の中へ収容した時、棺本体２の中に安置されている遺体を首元からつま先まで覆うことができなくなったり、或いは右方側板２１または左方側板２２との間に隙間を生じるということがなく、棺本体２の中に見栄えよく収容することができる。
【００３７】
また、本実施形態に係る掛け布団６は十分な厚みを有するものであるが、厚過ぎて又は大き過ぎて、棺本体２の中へ収容した時、後方側板２４側や右方側板２１側および／または左方側板２２側の端部においてたるみや折り返しが生じ見栄えが悪くなったり、掛け布団６の上に故人の遺品や花を収容することができなくなったり、または掛け布団６を棺本体２の中へ収容できなくなるということがない。
【００３８】
さらに、本実施形態に係る掛け布団６は、綿類などを挿入することにより十分な厚みを有しているので、従来の極薄の掛け布団や掛け布のようにボリューム感に欠け、冷たく、貧弱に見えることがなく、断熱材としての役割も果たすので、掛け布団６の下部にドライアイス等の冷却材を配置した場合、十分な冷却効果を得ることができ、遺体の損傷を抑制することができる。
【００３９】
図２に示されているように、本実施形態に係る掛け布団６は、その表面に、長手方向に並んだ同じ大きさおよび形状を有する２つの収納部６０を備えている。また、掛け布団６の収容部６０の横幅および収容部６０の開口部６３は、掛け布団６の横辺６２の長さと同一に作られている。
【００４０】
本実施形態に係る掛け布団６は、その表面に収納部６０を備えることにより、故人の遺品等を掛け布団６の横幅全体を使って効率よく大量に収納部６０の中の特定の位置へ整然と収容することができる。例えば、故人の遺品等の中で嵩張るものは、上部に比較スペースが確保されている掛け布団６の縦辺６１側に収容し固定することができ、厚みが薄くて嵩張らないものは掛け布団６の中央付近に収容し固定することができる結果、棺桶４の中の掛け布団６上の空間を最大限に有効利用することができるようになる。
【００４１】
なお、本考案において、掛け布団６の収納部６０の形状および大きさは任意であり、図１，３に示されるような形状および大きさに限定されるものではない。また、収納部６０を掛け布団６の表面に複数個設ける場合は、それぞれの収容部６０の形状、大きさ等が異なっていてもよい。さらに、掛け布団６の収納部６０は、綿類が入った掛け布団側またはマットなどを着脱可能に包むことができる掛け布団カバーの表面に設けられていてもよい。
【００４２】
また、本実施形態に係る掛け布団６の中に挿入される綿類は、掛け布団６に膨らみを持たせることができるものであれば特に限定されるものではなく、合成繊維、天然繊維またはそれらを混合したものから出来ているものであっても、或いはスポンジ、弾性樹脂等からなるスプリング式マットのようなものであってもよい。ただし、掛け布団６は断熱材としての役割も果たすので、掛け布団６の中に挿入される綿類は、掛け布団６の中に空気を溜め込むことができる素材であることが好ましい。
【００４３】
本実施形態に係るによる棺セット１によれば、遺体に被せて棺本体２の中へ収容される掛け布団６であって、通常、寝具として使用されるような十分な厚みがある場合においても、棺本体２の中に見栄えよく収容することができ、それでいて故人の遺品やドライアイス等の冷却材を十分に且つ体裁よく収容することができるようになる。
【符号の説明】
【００４４】
１  ・・・棺セット
２  ・・・棺本体
２０・・・底板
２１・・・右方側板
２２・・・左方側板
２３・・・前方側板
２４・・・後方側板
２５・・・開口部
３・・・・蓋板
４  ・・・棺桶
５  ・・・敷布団
６  ・・・掛け布団
６０・・・収容部
６１・・・縦辺
６２・・・横辺
６３・・・開口部
【図１】
0003202275.tif 000003
【図２】
0003202275.tif 000004
【図３】
0003202275.tif 000005